(57)【特許請求の範囲】
【請求項１】
デジタル・データ・ストリームを記録媒体に記録する方法であって、
前記デジタル・データ・ストリームを記録集合体に分割することによってデジタル・データ・ストリームを記録するステップと、
前記記録集合体を再生するための共通管理情報ファイルに再生順序情報を含む共通管理情報を記録するステップと、
前記記録媒体のストリーマー管理情報ファイルに、前記記録集合体に関する時間マッピング・リストを含んだストリーム時間マップ情報を記録するステップと
からなり、
前記時間マッピング・リストは前記デジタル・データ・ストリームにアクセスするために提供され、
前記共通管理情報ファイルおよび前記ストリーマー管理情報ファイルは別ファイルとして形成され、管理される
ことを特徴とする方法。
【請求項２】
前記ストリーム時間マップ情報を記録するステップは、前記ストリーマー管理情報ファイルに、前記記録媒体に記録されている前記記録集合体の管理情報を含むストリーム時間マップ一般情報を記録するステップを有する
ことを特徴とする請求項１記載の方法。
【請求項３】
それぞれの前記記録集合体は、複数の記録単位体を有し、
前記時間マッピングリストは、それぞれの前記記録集合体をサーチするための時間サーチ情報を含む
ことを特徴とする請求項２記載の方法。
【請求項４】
前記デジタル・データ・ストリームは、前記記録媒体のデータ領域に記録され、
前記共通管理情報および前記ストリーム時間マップ情報は、前記記録媒体の管理情報領域に記録され、
前記記録されたデジタル・データ・ストリームにアクセスするためのエントリーポイントは、前記管理情報領域に記録される
ことを特徴とする請求項１記載の方法。
【請求項５】
前記共通管理情報を記録するステップは、前記記録媒体のアプリケーション管理情報内にコンテンツテーブルを記録する
ことを特徴とする請求項１記載の方法。
【請求項６】
前記コンテンツテーブルは、前記記録されたデータ・ストリームへのアクセスを可能にするエントリーポイントを含む
ことを特徴とする請求項５記載の方法。
【請求項７】
前記共通管理情報を記録するステップは、前記記録集合体に関する再生リストの生成を含む
ことを特徴とする請求項１記載の方法。
【請求項８】
記録媒体にデジタル・データ・ストリームを記録する装置であって、
前記デジタル・データ・ストリームを記録集合体に分割することによってデジタル・データ・ストリームを記録し、前記記録集合体を再生するための共通管理情報ファイルに再生順序情報を含む共通管理情報を記録し、前記記録集合体の時間マッピング・リスト含んだストリーム時間マップ情報を前記記録媒体の前記ストリーマー管理情報ファイルに記録するための記録装置を備え、
前記時間マッピング・リストは、前記デジタル・データ・ストリームにアクセスするために提供され、
前記共通管理情報ファイルおよび前記ストリーマー管理情報ファイルは、別ファイルとして形成され、管理される
ことを特徴とする装置。
【請求項９】
前記記録装置は、前記記録媒体に記録された記録集合体の管理情報を含むストリーム時間マップ一般情報を、前記ストリーマー管理情報ファイルに記録する
ことを特徴とする請求項８記載の装置。
【請求項１０】
それぞれの前記記録集合体は、複数の記録単位体を有し、
前記時間マッピングリストは、それぞれの前記記録集合体をサーチするための時間サーチ情報を含む
ことを特徴とする請求項９記載の装置。
【請求項１１】
前記記録装置は、前記記録媒体のアプリケーション管理情報内にコンテンツテーブルを記録する
ことを特徴とする請求項８記載の装置。
【請求項１２】
前記コンテンツテーブルは、前記記録されたデータ・ストリーへのアクセスを可能にするエントリーポイントが含む
ことを特徴とする請求項１１記載の装置。
【請求項１３】
前記記録装置は、前記記録集合体に関する再生リストを含む共通管理情報を記録する
ことを特徴とする請求項８記載の装置。
【請求項１４】
前記記録装置は、前記記録媒体のデータ領域に前記デジタル・データ・ストリームを記録し、前記記録媒体の管理情報領域に前記共通管理情報と前記ストリーム時間マップ情報を記録し、前記管理情報領域に前記記録されたデジタル・データ・ストリーム・データにアクセスするためのエントリーポイントを記録する
ことを特徴とする請求項８記載の装置。
【請求項１５】
記録集合体に分割されたデジタル・データ・ストリームを読み出すステップと、
前記記録集合体を再生するため、共通管理情報ファイル内の再生順序情報を含む共通管理情報を読み出すステップと、
前記記録媒体に記録されたストリーマー管理情報ファイル内にある、前記記録集合体に関する時間マッピングリストを含んだストリーム時間マップ情報を読み出すステップと、
前記時間マッピングリストに含まれる時間サーチ情報に基づいて前記デジタル・データ・ストリームをサーチするステップと
から構成され、
前記共通管理情報ファイルおよび前記ストリーマー管理情報ファイルは、別ファイルとして形成され、管理される
ことを特徴とする記録媒体によりデジタル・データ・ストリームをサーチする方法。
【請求項１６】
前記ストリーム時間マップ情報を読み出すステップは、前記ストリーマー管理情報ファイル内にある、前記記録媒体に記録された前記記録集合体の管理情報を含むストリーム時間マップ一般情報を読み出すステップを有する
ことを特徴とする請求項１５記載の方法。
【請求項１７】
それぞれの前記記録集合体は、複数の記録単位体体を有する
ことを特徴とする請求項１６記載の方法。
【請求項１８】
前記共通管理情報を読み出すステップは、前記記録媒体のアプリケーション情報内のコンテンツテーブルを読み出すステップを有する
ことを特徴とする請求項１５記載の方法。
【請求項１９】
前記コンテンツテーブルは、前記記録されたデータ・ストリームへのアクセスを可能にするエントリーポイントを含む
ことを特徴とする請求項１８記載の方法。
【請求項２０】
前記共通管理情報を読み出すステップは、前記記録集合体に関する再生リストの生成を含む
ことを特徴とする請求項１５記載の方法。
【請求項２１】
前記デジタル・データ・ストリームは、前記記録媒体のデータ領域に記録され、
前記共通管理情報と前記ストリーム時間マップ情報は、前記記録媒体の管理情報領域に記録され、
前記エントリーポイントは、前記管理情報領域に記録される
ことを特徴とする請求項１５記載の方法。
【請求項２２】
記録集合体に分割されたデジタル・データ・ストリームを読み出し、前記記録集合体を再生するため、共通管理情報ファイルに再生順序情報を含む共通管理情報を読み出し、前記記録媒体に記録されたストリーマー管理情報ファイル内にある、前記記録集合体に関する時間マッピングリストを含んだストリーム時間マップ情報を読み出すための読出装置と、
前記マッピングリストに含まれる時間サーチ情報に基づいて前記デジタル・データ・ストリームをサーチするためのサーチ装置と
から構成され、
前記共通管理情報ファイルおよび前記ストリーマー管理情報ファイルは、別ファイルとして形成され、管理される
ことを特徴とする記録媒体のデジタル・データ・ストリームをサーチするための装置。
【請求項２３】
前記読出装置は、前記ストリーマー管理情報ファイル内にある、前記記録媒体に記録された前記記録集合体の管理情報を含むストリーム時間マップ一般情報を読み出す
ことを特徴とする請求項２２記載の装置。
【請求項２４】
それぞれの前記記録集合体は、複数の記録単位体を有する
ことを特徴とする請求項２３記載の装置。
【請求項２５】
前記読出装置は、記録媒体のアプリケーション情報内のコンテンツテーブルを読み出す
ことを特徴とする請求項２２記載の装置。
【請求項２６】
前記コンテンツテーブルは、前記記録されたデータ・ストリームにアクセスを可能にするエントリーポイントを含む
ことを特徴とする請求項２５記載の装置。
【請求項２７】
前記読出装置は、前記記録集合体に関する再生リストを有する
ことを特徴とする請求項２２記載の装置。
【請求項２８】
前記デジタル・データ・ストリームは、前記記録媒体のデータ領域に記録され、
前記共通管理情報と前記ストリーム時間マップ情報は、前記記録媒体の管理情報領域に記録され、
前記エントリーポイントは、前記管理情報領域に記録される
ことを特徴とする請求項２２記載の装置。  
【発明の詳細な説明】
【技術分野】
【０００１】
本発明は、受信されるデジタル・データ・ストリームをデジタル・ビデオ・ディスクのような記録媒体に記録させる際に、ある集合を単位として区画して記録するものに関する。
【背景技術】
【０００２】
従来のアナログテレビ放送では、受信する映像信号をＡＭ、またはＦＭ変調して電波やケーブルを通じて送信していた。最近、デジタル映像圧縮及びデジタル変復調などのデジタル技術が発展することによって、デジタルテレビ放送に関する標準化が急速に進み、その際、既存の地上波、衛星、ケーブル放送でもＭＰＥＧに基づいてデジタル化している。
【０００３】
デジタル放送は、デジタル映像／音声圧縮技術及びデジタル送信技術の発展によって、アナログサービスより高画質のサービスを提供することができ、かつ、同一帯域幅で複数の放送プログラムを送信することもでき、さらに、デジタル通信メディア及びデジタル記憶メディアなどとの相互運用性も高いという長所がある。
【０００４】
このようなデジタル放送では、ＭＰＥＧに基づいて符号化された複数の放送プログラムが多重化され、送信ストリーム（ＴＳ）の形で送信される。この送信ストリームは、受信側に設置されたセット・トップ・ボックスで受信され、送信ストリームに含まれている複数の放送プログラムが逆多重化して、希望する一つの放送プログラムのみが選択される。そして、選択された放送プログラムをセット・トップ・ボックスに内蔵されたデコーダーで復号して元のオーディオ及びビデオ信号を得てテレビのようなＡＶ出力装置に出力する。
【０００５】
このようなデジタル放送信号を受信してテレビのようなＡ／Ｖ出力装置に出力するだけでなく、受信した放送信号を記憶媒体に記憶、編集および再生するシステムに関する研究が進んでいる。その一例として、デジタル放送信号のようなデジタル・データ・ストリームをセット・トップ・ボックスで受信した後、ＩＥＥＥ１３９４シリアル・バスのような通信インタフェースを通じてデジタル・ビデオ・ディスク（ＤＶＤ）記録再生装置のようなストリーマーに記憶して、その記憶されたデジタル・データ・ストリームを編集および再生して通信インタフェースを通じてセット・トップ・ボックスに伝達することによって、テレビのようなＡ／Ｖ出力装置を通じてデジタル・オーディオおよびビデオを再生するシステムに関する研究が進んでいる。
【０００６】
前述したシステムにおいて、受信されるデジタル放送プログラムのストリームのようなデジタル・データ・ストリームを記録媒体にどのように記録し、また記録されたストリームの任意の位置を短時間でサーチするための管理情報をどういうふうに生成するかに関する研究が進められている。
【発明の開示】
【発明が解決しようとする課題】
【０００７】
本発明は、前記のようなことを考えて創作されたもので、その目的は、受信されるデジタル・データ・ストリームをデジタル・ビデオ・ディスクのような記録媒体に記録集合体として区画して記録し、その区画して記録された記録集合体の時間サーチ情報を生成記録する方法と、これを用いた記録集合体内の記録デジタル・ストリームの任意の位置をサーチする方法を提供することである。
【課題を解決するための手段】
【０００８】
上述したような課題を解決するために本発明に係る記録媒体は、一定サイズの少なくとも１つの記録単位体からなる記録集合体に区画されたディジタル・データ・ストリームと、記録集合体のスタート位置を示すスタート・パケット到着情報と、各記録単位体の時間情報と、各記録集合体のスタート位置を示す索引情報とを記録した記録媒体であって、前記各時間情報は、記録集合体および記録単位体とは区別されたマピングリストのエントリとして、記録単位体の順序で記録され、各記録集合体のスタート位置は、各記録集合体の最初の記録単位体に対応することを特徴とする。
【０００９】
上記記録媒体において、前記時間情報は、一定の周期でカウントされたカウント値によって表されるようにしてもよい。
【００１０】
上記記録媒体において、前記カウント値は、該当記録単位体を一定周期でカウントした増加量であるようしてもよい。
【発明の効果】
【００１１】
本発明による記録媒体は、受信されるデータ・ストリームが記録集合体に区画記録されているので、その任意の区間に対するサーチをより早く正確に行なうことができる。
【発明を実施するための最良の形態】
【００１２】
まず、デジタル・データ・ストリームのサーチ情報生成記録方法についての望ましい実施形態を添付した図面によって詳しく説明する。
図１は、デジタル・データ・ストリームのサーチ情報生成記録方法が適用されるシステムの一実施形態を概略に示した図である。本システムは、セット・トップ・ボックス（１００）、通信インタフェース（ＩＥＥＥ  １３９４）およびストリーマー（２００）で構成されている。
【００１３】
セット・トップ・ボックス（１００）は、放送局からシステム・エンコーダーによって符号化された複数の放送プログラムが多重化された送信ストリーム（ＴＳ）を受信してこれを逆多重化する。その際、使用者が制御部（１４０）により選局処理部（１１０）で選局した放送プログラムに対する送信ストリームをシステム・デコーダー（１２０）によって復号してテレビのようなＡＶセットを通じて出力する。
【００１４】
そして、セット・トップ・ボックス（１００）は、使用者が選局した放送プログラムをＩＥＥＥ  １３９４通信インタフェース（１３０、２１０）を介してストリーマー（２００）に送信し、ストリーマー（２００）によって放送プログラムをデジタル・ビデオ・ディスク（ＤＶＤ）のような記録媒体（２３０）に記録することもできる。
【００１５】
また、セット・トップ・ボックス（１００）は、使用者の要請により、ストリーマー（２００）によって記録媒体（２３０）から読み出した放送プログラムをＩＥＥＥ  １３９４通信インタフェース（１３０、２１０）を通じて受け、デコーダー（１２０）で復号してテレビセットに放送プログラムを出力することもできる。
【００１６】
前記のようにセット・トップ・ボックス（１００）とストリーマー（２００）は、放送プログラムを記録するときや再生するとき、それぞれの役割を行うために記録媒体に記録された放送プログラムの管理制御情報を分かっていなければならない。
したがって、前記のシステムでは、セット・トップ・ボックス（１００）だけが用いる記録放送プログラム管理制御情報のアプリケーション管理情報と、ストリーマー（２００）だけが用いる記録放送プログラム管理制御情報のストリーマー管理情報とセット・トップ・ボックス（１００）とストリーマー（２００）が共用できる記録放送プログラム管理制御情報の共通管理情報とに分離して、これらの情報を記録媒体上に記録された放送プログラムを管理するのに用いる。このファイルは、ストリーマー（２００）の記録媒体（２３０）上に記録される。
【００１７】
アプリケーション管理情報は、セット・トップ・ボックス（１００）の初期駆動の時、またはセット・トップ・ボックスの要請によってストリーマー（２００）のストリーム再生処理部（２４０）により読出されて、ＩＥＥＥ  １３９４通信インタフェースを通じてセット・トップ・ボックス（１００）に送信される。そののち、セット・トップ・ボックス（１００）の制御部（１４０）によってメモリ（１５０）の管理情報領域（Ｍ２）に記憶され、使用者の要請による放送プログラムの記録や編集の時に、新たに記録される放送プログラムに対する管理情報が制御部（１４０）によって付加されて記録が更新される。また、使用者の要請による放送プログラムの再生の時でも、制御部（１４０）がアプリケーション管理情報の情報を用いてストリーマー（２００）に再生要請をする。メモリ（１
５０）に記憶されたアプリケーション管理情報は、セット・トップ・ボックスの記録動作が終了する時、または電源  オフの動作の時などに読出され、通信インタフェースを通じてストリーマー（２００）に送信されて、ストリーマー（２００）の制御部（２５０）の制御によりストリーム記録処理部（２２０）によって記録媒体（２３０）上に記録される。
【００１８】
ストリーマー管理情報と共通管理情報は、ストリーマー（２００）の初期駆動の時、ストリーム再生処理部（２４０）によって読出され、ストリーマー（２００）の制御部（２５０）によってメモリ（２６０）に記憶されたのち、使用者の要請による放送プログラムの記録の時、または削除編集の時に新たに記録される放送プログラムに関する管理情報が制御部（２５０）によって付加され記録が更新される。また、使用者の要請による放送プログラムの再生の時、セット・トップ・ボックス（１００）からの再生要請によって制御部（２５０）がストリーマー（２００）管理情報の管理情報を用いて、記録媒体（２３０）に記憶された放送プログラムの再生を行う。メモリ（２６０）に記憶されたストリーマー（２００）管理情報および共通管理情報は、ストリーマー（２００）が記録動作を終了する時、または電源  オフする時に読出され、制御部（２５０）の制御によってストリーム記録処理部（２２０）を通じて記録媒体（２３０）に記録される。
【００１９】
前記のような記録データ・ストリームの管理情報に関する記録データ管理ファイル構造および記録データ構成について図２を参照して詳しく説明する。
図２に示すように、アプリケション管理情報（ａｐｐｌｉｃａｔ．ＩＦＯ）は、記録されるデータ・ストリームをランダムにアクセスする為の情報であるエントリーポイントが記録されるＴＯＣ（Ｔａｂｌｅ  Ｏｆ  Ｃｏｎｔｅｎｔ）と、記録されるデータ・ストリームに関する情報が記録されるサービス情報（Ｓｅｒｖｉｃｅ  Ｉｎｆｏｒｍａｔｉｏｎ；ＳＩ）テーブルを管理し、共通管理情報（ｃｏｍｍｏｎ．ＩＦＯ）は、データ・ストリームを記録するこよによって自動的に生成されるオリジナル再生リストと、記録されたデータ・ストリームに関する再生順序情報（Ｃｅｌｌ）、使用者が記録されたデータ・ストリームに関する再生順序を編集することによって生成される使用者定義の再生リストを管理する。
【００２０】
また、ストリーマー管理情報ファイル（ｓｔｒｅａｍｅｒ．ＩＦＯ）、すなわちストリーム時間マップ情報（ＳＴＭＡＰＩ：Stream Time Map Information ）は、記録媒体上に一定単位に区画して記録されたストリーム記録単位体（ＳＯＢＵ）と記録単位体で構成される記録集合体（ＳＯＢ）に関する情報のストリーム時間マップ一般情報（ＳＴＭＡＰ＿ＧＩ）と、記録単位体および記録集合体の時間サーチ情報のマッピング・リスト（ＭＡＰＬ）を管理するためのものである。記録集合体（ＳＯＢ）は、それぞれオリジナル再生リストに含まれた再生順序情報（Ｃｅｌｌ）とは１対１対応される。再生順序情報（Ｃｅｌｌ）は、使用者定義の再生リストに含まれ、記録集合体（ＳＯＢ）と１対１に対応する。
【００２１】
また、ストリーム時間マップ一般情報（ＳＴＭＡＰ＿ＧＩ）は、図３に示すように、記録単位体（ＳＯＢＵ）のサイズ（ＭＡＰＵ＿ＳＺ）フィールドと、マッピング単位時間シフト値（ＭＴＵ＿ＳＨＩＦＴ）フィールドと、マッピング・リスト（ＭＡＰＬ）に対応する識別情報のインデックス番号（ＩＮＤＥＸ＿ＮＯ）フィールドと、マッピング・リスト・エントリーの個数（ＭＡＰＬ＿ＥＮＴ＿Ｎｓ）フィールドと、スタート・パケット到着時間（Ｓ＿ＳＡＰＡＴ）フィールドと、最終パケット到着時間（Ｓ＿Ｅ＿ＡＰＡＴ）フィールドとで構成される一方、マッピング・リスト（ＭＡＰＬ）は、パケット到着時間増加量（ＩＡＰＡＴ）情報が記録されるマッピング・エントリー（ＭＡＰＵ＿ＥＮＴ）フィールドで構成される。
【００２２】
以下、記録デジタル・データ・ストリームのサーチ情報生成記録方法に関する動作説明を図１、図２、図３を参照して説明する。まず、選局処理部（１１０）で選局され入力されるデジタル  放送信号のようなデジタル・データ・ストリームを記録媒体上に記録しようとする使用者の要請が入力されると、セット・トップ・ボックス（１００）の制御部（１４０）は、ＩＥＥＥ１３９４通信インタフェース（１３０、２１０）を通じて、ストリーマー（２００）の制御部（２５０）に現在記録モードが設定されたことを通知すると共に、受信入力されるデータ・ストリームを通信インタフェース（１３０、２１０）を通じて、ストリーマー（２００）側に送る。同時に、セット・トップ・ボックス（１００）の制御部（１４０）は、データ・ストリームの送信パケットをランダムにアクセスするための情報のエントリーポイントを、メモリ（１５０）の管理情報領域（Ｍ２）に記憶されたアプリケション管理情報（Ａｐｐｌｉｃａｔｉｏｎ．ＩＦＯ）、または共通管理情報（ｃｏｍｍｏｎ．ＩＦＯ）の再生リストの一部分に記録し、さらにメモリ（１５０）の放送プログラム情報領域（Ｍ１）に記録された放送プログラムサービス情報（ＳＩ）で現在記録されるデータ・ストリームに関する情報を抽出してアプリケション管理情報（Ａｐｐｌｉｃａｔｉｏｎ．ＩＦＯ）のサービス情報（ＳＩ）テーブルに記録する。
【００２３】
一方、ストリーマー（２００）の制御部（２５０）は、ＩＥＥＥ１３９４通信インタフェース（１３０、２１０）を通じて入力されたデータ・ストリームをストリーム記録処理部（２２０）によって記録媒体（２３０）に記録するよう制御する。この時、制御部（２５０）は、入力されるデジタル・データ・ストリームを所定個数例えば、３２セクターを一つの記録単位体（ＳＯＢＵ）として記録媒体（２３０）に記録する動作を記録モードが終了するまで続ける。このように記録モードが終了するまで続けて続記録したデータ・ストリームは、一つの記録集合体（ＳＯＢ）を構成する。したがって、記録集合体は記録単位体で区切られている。
【００２４】
また、ストリーマー（２００）の制御部（２５０）は、前記のように区切られた記録集合体（ＳＯＢ）に対して再生順序情報（Ｃｅｌｌ）を生成して、図２に示すように共通管理情報（ｃｏｍｍｏｎ．ＩＦＯ）の再生順序情報領域（Ｃｅｌｌ層）にオリジナル再生リストのレコード（ＲＣＤ）に対応する再生順序情報（Ｃｅｌｌ）として記録する。そして、記録集合体（ＳＯＢ）を構成する記録単位体（ＳＯＢＵ）をサーチするために記録単位体の時間長さのサイズを、全ての記録集合体に対じて順次にリストした時間サーチ情報である一つのマッピング・リスト（ＭＡＰＬ）には、図４と、図５に示すように一つの記録単位体（ＳＯＢＵ）を区切る間に一定時間間隔でカウントしたカウント数、すなわちパケット到着時間増加量情報（ＩＡＰＡＴ）を各々マッピング・エントリー（ＭＡＰＵ＿ＥＮＴ）フィールドに生成記録し、また前記マッピング・エントリー（ＭＡＰＵ＿ＥＮＴ）に記録される記録単位体別パケット到着時間増加量情報（ＩＡＰＡＴ）（図５の例でカッコ内に記入された数字）を所定個数の、例えば８個のマッピング・エントリーずつ合算して概略サーチ時間情報である粗マッピング・エントリー情報（Ｃ＿ＭＡＰＵ＿ＥＮＴ）として生成記録する。
【００２５】
このように生成記録されるマッピング・エントリー（ＭＡＰＵ＿ＥＮＴ）および粗マッピング・エントリー（Ｃ＿ＭＡＰＵ＿ＥＮＴ）の中、該当記録集合体（ＳＯＢ）に対する最初のマッピング・エントリー（ＭＡＰＵ＿ＥＮＴ）あるいは粗マッピング・エントリー（Ｃ＿ＭＡＰＵ＿ＥＮＴ）がマッピング・リスト上で位置するインデックス番号（ＩＮＤＥＸ＿ＮＯ）を、図５の記録の例ではＳＯＢ＃ｎに対する最初のマッピング・エントリーのインデックス値Ｋを記録集合体のサーチ位置を索引するための識別情報としてストリーム時間マップ一般管理情報（ＳＴＭＡＰ＿ＧＩ）に記録する。
【００２６】
これによって、使用者が記録媒体に多数の記録集合体で記録されたデータ・ストリームの一定区間、例えば１０から２０分までの記録ストリームを再生要請した場合に、ストリーマー（２００）の制御部（１５０）は、図２に示した再生順序情報（Ｃｅｌｌ１，Ｃｅｌｌ２，Ｃｅｌｌ３）のうち、再生要請された時間、１０分に該当する記録時間情報を有する再生順序情報、一例としてＣｅｌｌ２を検出し、Ｃｅｌｌ２に対応する記録集合体ＳＯＢ２を選定し、選定されたＳＯＢ２に対応するマッピング・リストのスタート位置を示すインデックス値をストリーム時間マップ一般管理情報（ＳＴＭＡＰ＿ＧＩ）から検出し、検出されたマッピング・リストのエントリーから記録されたパケット到着時間増加量情報を読出して、読出された情報つまり、一定単位時間間隔でカウントしたカウント数を合算する。そののち、合算されたカウント数に一定単位時間（例４５ｍｓ）を掛けて、使用者が指定した１０分に該当する記録単位体（ＳＯＢＵ）のスタート位置を検索する。以後その検出された記録単位体内の送信パケットを順に復号して送信パケットの到着時間が使用者が再生要請した時間と一致すれば、それから再生動作を行う。
【００２７】
また、使用者が４０分から６０分を再生要請時間として指定し、その指定された再生時間に該当する記録時間情報を有する再生順序情報がＣｅｌｌ３である場合、ストリーム時間マップ一般管理情報（ＳＴＭＡＰ＿ＧＩ）に記録されたインデックス番号（ＩＮＤＥＸ＿ＮＯ）、すなわち記録集合体ＳＯＢ３に対応するマッピング・リスト、ＭＡＰＬ３のスタート位置を識別する識別情報のマッピング・エントリー（ＭＡＰＵ＿ＥＮＴ）情報のインデックス番号（ＩＮＤＥＸ＿ＮＯ）をストリーム時間マップ一般管理情報（ＳＴＭＡＰ＿ＧＩ）から検出し、その検出されたＭＡＰＬ３で記録されたマッピング・エントリー（ＭＡＰＵ＿ＥＮＴ）情報の到着時間増加量（ＩＡＰＡＴ）情報、すなわち、一定単位時間間隔でカウントしたカウント数を合算する。そして、合算されたカウント数に一定単位時間（例えば４５ｍｓ）を掛けて使用者が指定した４０分に該当する記録単位体（ＳＯＢＵ）の位置を検出し、その検出された記録単位体に記録された送信パケットをストリーム再生処理部（２４０）が復号して送信パケットの到着時間が使用者が要請した時間と一致すれば、それから再生動作を行なって、要請された再生時間に該当するデータ・ストリームをより早く再生することができる。
【図面の簡単な説明】
【００２８】
【図１】本発明に係る記録  デジタル・データ・ストリームのサーチ情報生成記録方法が適用するシステムを概略に示す図である。
【図２】本発明に係る記録  デジタル・データ・ストリームのサーチ情報生成記録方法によって生成される管理情報の図である。
【図３】本発明に係る記録  デジタル・データ・ストリームのサーチ情報生成記録方法によって生成される管理情報のうち、ストリーム時間マップ情報の図である
【図４】本発明に係る  デジタル・データ・ストリーム記録動作を説明するために示した図である。
【図５】本発明に係るデジタル・データ・ストリームのサーチ情報生成記録方法によって生成される管理情報を説明するために示した図である。
【符号の説明】
【００２９】
１００：セット・トップ・ボックス、１１０：選局処理部、１２０：デコーダ
ー、１３０、２１０：通信インタフェース、１４０、２５０：制御部、１５０、
２６０：メモリ、２００：ストリーマー、２２０：ストリーム記録処理部、２３
０：記録媒体（ＤＶＤ）、２４０：ストリーム再生処理部。
【図１】
0004427649.tif 000002
【図２】
0004427649.tif 000003
【図３】
0004427649.tif 000004
【図４】
0004427649.tif 000005
【図５】
0004427649.tif 000006